(57)【要約】  【課題】パチンコ球の連発発射および単発発射を選択的に行うことができ、興趣性に優れたパチンコ遊戯機を提供する。  【解決手段】パチンコ遊戯機１は、遊戯面２に向けてパチンコ球Ｐを発射する発射手段５と、連発モードと単発モードとの切換えの際に操作する切換用操作手段11とを備える。パチンコ遊戯機１は、ハンドル被取付部21に回動可能に取り付けた操作ハンドル25を備え、操作ハンドル25には単発用操作レバー26を取り付ける。単発モード状態時には、操作ハンドル25を回した状態のまま、単発用操作レバー26を操作する。  【選択図】図１
2006204535.tif 000002
【特許請求の範囲】
【請求項１】
遊戯面に向けてパチンコ球を発射する発射手段と、
この発射手段にてパチンコ球が連発発射される連発モードと前記発射手段にてパチンコ球が単発発射される単発モードとの切換えの際に操作される切換用操作手段と、
ハンドル被取付部に回動可能に取り付けられた操作ハンドルと、
この操作ハンドルに取り付けられた単発用操作手段とを備え、
連発モードに切り換えられた状態時には、前記操作ハンドルを握ってこの操作ハンドルを所定方向へ所望量回動させると、前記操作ハンドルの回動量に対応した発射速度をもって前記発射手段にてパチンコ球が連発発射され、
単発モードに切り換えられた状態時には、前記操作ハンドルを握ってこの操作ハンドルを所定方向へ所望量回動させた状態のまま、前記単発用操作手段を操作すると、前記操作ハンドルの回動量に対応した発射速度をもって前記発射手段にてパチンコ球が単発発射される
ことを特徴とするパチンコ遊戯機。
【請求項２】
単発モードの状態時に、操作ハンドルを握ってこの操作ハンドルを所定方向へ所望量回動させた状態のまま、単発用操作手段をタッチ操作すると、前記操作ハンドルの回動量に対応した発射速度をもって発射手段にてパチンコ球が単発発射される
ことを特徴とする請求項１記載のパチンコ遊戯機。
【請求項３】
連発モード状態時に点灯する連発モード表示用ランプと、単発モード状態時に点灯する単発モード表示用ランプとを備える
ことを特徴とする請求項１または２記載のパチンコ遊戯機。
【発明の詳細な説明】
【技術分野】
【０００１】
本発明は、パチンコ球の連発発射および単発発射を選択的に行うことができ、興趣性に優れたパチンコ遊戯機に関するものである。
【背景技術】
【０００２】
従来、例えばロータリーソレノイドの作動により遊戯面に向けてパチンコ球を打球杆で打球して発射する発射手段と、ユニット基板から前方に向って突出したハンドル被取付部に回動可能に取り付けられた操作ハンドルとを備え、操作ハンドルを握ってこの操作ハンドルを所定方向へ所望量回動させると、この操作ハンドルの回動量に対応した発射速度をもって発射手段にてパチンコ球が連発発射されるパチンコ遊戯機が知られている（例えば、特許文献１参照）。
【特許文献１】特公昭５７−１５９１７号公報
【発明の開示】
【発明が解決しようとする課題】
【０００３】
しかしながら、上記従来のパチンコ遊戯機では、操作ハンドルの回動によりパチンコ球が自動的に連発発射されるようになっており、パチンコ球を単発発射できないため、興趣性に欠けるという問題がある。
【０００４】
本発明は、このような点に鑑みなされたもので、パチンコ球の連発発射および単発発射を選択的に行うことができ、興趣性に優れたパチンコ遊戯機を提供することを目的とする。
【課題を解決するための手段】
【０００５】
請求項１記載のパチンコ遊戯機は、遊戯面に向けてパチンコ球を発射する発射手段と、この発射手段にてパチンコ球が連発発射される連発モードと前記発射手段にてパチンコ球が単発発射される単発モードとの切換えの際に操作される切換用操作手段と、ハンドル被取付部に回動可能に取り付けられた操作ハンドルと、この操作ハンドルに取り付けられた単発用操作手段とを備え、連発モードに切り換えられた状態時には、前記操作ハンドルを握ってこの操作ハンドルを所定方向へ所望量回動させると、前記操作ハンドルの回動量に対応した発射速度をもって前記発射手段にてパチンコ球が連発発射され、単発モードに切り換えられた状態時には、前記操作ハンドルを握ってこの操作ハンドルを所定方向へ所望量回動させた状態のまま、前記単発用操作手段を操作すると、前記操作ハンドルの回動量に対応した発射速度をもって前記発射手段にてパチンコ球が単発発射されるものである。
【０００６】
そして、連発モードに切り換えられた状態時には、操作ハンドルを握って操作ハンドルを所定方向へ所望量回動させると操作ハンドルの回動量に対応した発射速度をもって発射手段にてパチンコ球が連発発射され、単発モードに切り換えられた状態時には、操作ハンドルを握って操作ハンドルを所定方向へ所望量回動させた状態のまま単発用操作手段を操作すると操作ハンドルの回動量に対応した発射速度をもって発射手段にてパチンコ球が単発発射されるため、パチンコ球の連発発射および単発発射を選択的に行うことが可能であり、興趣性に優れている。
【０００７】
請求項２記載のパチンコ遊戯機は、請求項１記載のパチンコ遊戯機において、単発モードの状態時に、操作ハンドルを握ってこの操作ハンドルを所定方向へ所望量回動させた状態のまま、単発用操作手段をタッチ操作すると、前記操作ハンドルの回動量に対応した発射速度をもって発射手段にてパチンコ球が単発発射されるものである。
【０００８】
そして、単発用操作手段をタッチ操作することにより、操作ハンドルの回動量に対応した発射速度でパチンコ球を確実に単発発射可能である。
【０００９】
請求項３記載のパチンコ遊戯機は、請求項１または２記載のパチンコ遊戯機において、連発モード状態時に点灯する連発モード表示用ランプと、単発モード状態時に点灯する単発モード表示用ランプとを備えるものである。
【００１０】
そして、連発モード表示用ランプまたは単発モード表示用ランプの点灯により、モード状態を簡単に確認可能である。
【発明の効果】
【００１１】
請求項１に係る発明によれば、連発モードに切り換えられた状態時には、操作ハンドルを握って操作ハンドルを所定方向へ所望量回動させると操作ハンドルの回動量に対応した発射速度をもって発射手段にてパチンコ球が連発発射され、単発モードに切り換えられた状態時には、操作ハンドルを握って操作ハンドルを所定方向へ所望量回動させた状態のまま単発用操作手段を操作すると操作ハンドルの回動量に対応した発射速度をもって発射手段にてパチンコ球が単発発射されるため、パチンコ球の連発発射および単発発射を選択的に行うことができ、興趣性に優れている。
【００１２】
請求項２に係る発明によれば、単発用操作手段をタッチ操作することにより、操作ハンドルの回動量に対応した発射速度でパチンコ球を確実に単発発射できる。
【００１３】
請求項３に係る発明によれば、連発モード表示用ランプまたは単発モード表示用ランプの点灯により、モード状態を簡単に確認できる。
【発明を実施するための最良の形態】
【００１４】
本発明のパチンコ遊戯機の一実施の形態を図面を参照して説明する。
【００１５】
図１において、１はパチンコ遊戯機で、このパチンコ遊戯機１は、遊戯面２を有する正面視略矩形状の機体３を備え、この機体３には遊戯面２に向けてパチンコ球Ｐを発射する発射手段５が設けられている。
【００１６】
発射手段５は、パチンコ球Ｐを打球する回動可能な打球杆６と、打球杆６を回動させる駆動手段であるロータリーソレノイド（図示せず）と、ロータリーソレノイドを制御する制御手段（図示せず）と、打球杆６にて打球されたパチンコ球Ｐを遊戯面２に向けて案内する案内レール７とを有している。
【００１７】
また、機体３には、発射手段５にてパチンコ球Ｐが連発発射（例えば１分間に約１００球の連続的な発射）される連発モードと発射手段５にてパチンコ球Ｐが単発発射（例えば所望の間隔をおいた１球ずつの単独的な発射）される単発モードとの切換えの際に押動操作される切換用操作手段11が設けられている。
【００１８】
切換用操作手段11は、単発モードから連発モードへの切換えの際に押動操作される連発モード設定用押ボタン部12と、連発モードから単発モードへの切換えの際に押動操作される単発モード設定用押ボタン部13とを有している。連発モード設定用押ボタン部12内には連発モード状態時に点灯する連発モード表示用ランプ14が設けられ、単発モード設定用押ボタン部13内には単発モード状態時に点灯する単発モード表示用ランプ15が設けられている。
【００１９】
さらに、図２ないし図４にも示すように、機体３の前面から前方に向って突出した突出状で中空状のハンドル被取付部21の略球状の球状部分22の外周側には、第１手掛部23および第２手掛部24を有するグリップハンドル等の操作ハンドル25が水平方向の回動中心軸を中心として回動可能に取り付けられている。
【００２０】
操作ハンドル25の第１手掛部23には、細長板状の単発用操作手段である単発用操作レバー26が支持フレーム27を介して取り付けられている。支持フレーム27の上部が操作ハンドル25の第１手掛部23の後面部に固着され、支持フレーム27の下部に単発用操作レバー26の基端部が水平方向の回動中心軸を中心として回動可能に取り付けられている。単発用操作レバー26は、付勢手段であるばね28にて上方側に向けて付勢され、非操作時には例えばスポンジ製のレバー受部材29に当接している。
【００２１】
なお、突出部であるハンドル被取付部21の略球状の球状部分22の外周側には環状のアースリング31が嵌着されている。ハンドル被取付部21内には、操作ハンドル25の初期位置（起動位置）からの回動量に対応して発射手段５によるパチンコ球Ｐの発射速度（発射強弱）を設定するボリウム等の発射速度設定手段32が設けられている。また、ハンドル被取付部21内には、図示しないが、非操作時に操作ハンドル25を回動させて初期位置に復帰させるばね等の付勢手段、および操作時に操作ハンドル25が所定方向に回動して初期位置から離れるとオンするマイクロスイッチ等のスイッチ手段等が設けられている。
【００２２】
そして、切換用操作手段11の連発モード設定用押ボタン部12の押動操作によりパチンコ遊戯機１が連発モードに切り換えられた状態時には、遊戯者が操作ハンドル25を握ってこの操作ハンドル25を初期位置から所定方向（時計回り）へ所望量回動させると、操作ハンドル25の回動量（すなわち例えば操作ハンドル25の初期位置からの回動量である回動角度）に対応した発射速度をもって発射手段５にてパチンコ球Ｐが連発発射される。
【００２３】
また、切換用操作手段11の単発モード設定用押ボタン部13の押動操作によりパチンコ遊戯機１が単発モードに切り換えられた状態時には、遊戯者が操作ハンドル25を握ってこの操作ハンドル25を初期位置から所定方向（時計回り）へ所望量回動させた状態のまま、単発用操作レバー26を例えば人差し指でタッチ操作すると、操作ハンドル25の回動量（すなわち例えば操作ハンドル25の初期位置からの回動量である回動角度）に対応した発射速度をもって発射手段５にてパチンコ球Ｐが単発発射される。
【００２４】
操作ハンドル25を回した状態で単発用操作レバー26を人差し指でタッチ操作したままにすると、連発モードの場合と同様に、操作ハンドル25の回動量に対応した発射速度をもって発射手段５にてパチンコ球Ｐが連発発射される。
【００２５】
なお、図１に示されるように、機体３の遊戯面２には、入賞装置34、表示装置35および釘36等が設けられている。また、機体３には、上皿38および下皿39等が設けられている。さらに、ハンドル被取付部21、操作ハンドル25および単発用操作レバー26等にて操作ユニット40が構成されている。この操作ユニット40は、機体３のユニット装着部41に装着されている。
【００２６】
次に、上記一実施の形態の動作等を説明する。
【００２７】
例えば連発モード状態時に、遊戯者が操作ハンドル25を握ってこの操作ハンドル25を初期位置から所定方向へ所望量回動させると、操作ハンドル25の初期位置からの回動量に対応した発射速度（発射強さ）をもって発射手段５にてパチンコ球Ｐが遊戯面２に向って連発発射される。例えば操作ハンドル25を１分間回動させたままにすると、約１００球のパチンコ球Ｐが発射手段５にて発射されて遊戯面２に供給される。
【００２８】
遊戯者が単発モード設定用押ボタン部13を押動操作してパチンコ遊戯機１を単発モードに切り換えた場合、遊戯者が操作ハンドル25を握ってこの操作ハンドル25を初期位置から所定方向へ所望量回動させ、この回動させた状態を維持しつつ、単発用操作レバー26を人差し指で軽くタッチ操作すると、そのタッチ操作ごとに操作ハンドル25の回動量に対応した発射速度（発射強さ）をもって発射手段５にてパチンコ球Ｐが単発発射（間欠発射）される。このため、遊戯者は、慎重にパチンコ球Ｐを１球ずつ遊戯面２に供給することが可能である。なお、操作ハンドル25を回した状態で単発用操作レバー26を人差し指でタッチ操作したままにすれば、連発モードのように発射手段５にてパチンコ球Ｐが連発発射される。
【００２９】
このように上記パチンコ遊戯機１によれば、連発モード状態時には、操作ハンドル25を握って操作ハンドル25を所定方向へ所望量回動させると操作ハンドル25の回動量に対応した発射速度をもって発射手段５にてパチンコ球Ｐが連発発射され、単発モード状態時には、操作ハンドル25を握って操作ハンドル25を所定方向へ所望量回動させた状態のまま単発用操作レバー26をタッチ操作すると操作ハンドル25の回動量に対応した発射速度をもって発射手段５にてパチンコ球Ｐが単発発射されるため、遊戯者はパチンコ球Ｐの連発発射および単発発射を選択的に行うことができ、よって興趣性に優れている。
【００３０】
また、連発モード状態時には連発モード表示用ランプ14が点灯し、単発モード状態時には単発モード表示用ランプ15が点灯するため、遊戯者は、連発モード表示用ランプ14または単発モード表示用ランプ15の点灯によりパチンコ遊戯機１のモード状態を簡単に確認できる。
【００３１】
さらに、遊戯機全体を交換することなく、従来の操作ユニットに代えて操作ユニット40をユニット装着部41に装着すること等によって簡単にパチンコ遊戯機１を提供できる。
【００３２】
なお、単発用操作レバー26等の単発用操作手段は、軽く触れただけでオンして電気信号を発射手段５の制御信号に送信するタッチ操作式のものには限定されず、単発モードでの発射時に回動操作或いは押動操作等されるもの等でもよい。
【００３３】
また、発射手段５の駆動手段は、ロータリーソレノイドには限定されず、電動モータ等でもよい。
【００３４】
さらに、切換用操作手段11およびモード表示用ランプ14，15を操作ハンドル25に設けた構成や、切換用操作手段11およびモード表示用ランプ14，15をハンドル被取付部21に設けた構成等でもよい。
【図面の簡単な説明】
【００３５】
【図１】本発明のパチンコ遊戯機の一実施の形態を示す正面図である。
【図２】同上パチンコ遊戯機の操作ユニットの正面図である。
【図３】同上パチンコ遊戯機の操作ユニットの側面図である。
【図４】同上パチンコ遊戯機の操作ユニットの平面図である。
【符号の説明】
【００３６】
１    パチンコ遊戯機
２    遊戯面
５    発射手段
11    切換用操作手段
14    連発モード表示用ランプ
15    単発モード表示用ランプ
21    ハンドル被取付部
25    操作ハンドル
26    単発用操作手段である単発用操作レバー
Ｐ    パチンコ球
【図１】
2006204535.tif 000003
【図２】
2006204535.tif 000004
【図３】
2006204535.tif 000005
【図４】
2006204535.tif 000006